(57)【要約】【課題】一人の作業者でパネルをパネル支持杆に作業性よく取り付けることができるパネル取付ピンを提供する。【解決手段】本考案のパネル取付ピン１０は、その中間部に抜け落ちを防止させるストッパー１１を形成し、ストッパー１１の下方側にパネル支持杆４のピン受体６に差し込まれる第１の差し込み部１２を形成するとともに、ストッパー１１の上方側にパネル５のピン受体７に差し込まれる第２の差し込み部１３を形成した。また、本考案のパネル取付ピン２０は、その一方の端部側にパネル支持杆４又はパネル５の側部に一体に固着させる固着部２１を形成し、他方の端部側にパネル５又はパネル支持杆４の側部に設けられたピン受体６又は７に差し込ませる差し込み部２２を形成した。【選択図】      図１
0003109515.tif 000002
【実用新案登録請求の範囲】
【請求項１】
工事現場用等の仮設用門扉を構成するパネルとパネル支持杆とを取り付ける際に用いられ、パネル支持杆の側部に設けられたピン受体と、該ピン受体に対応してパネルに設けられたピン受体とに差し込まれるパネル取付ピンであって、
その中間部に抜け落ちを防止させるストッパーを形成し、該ストッパーの下方側にパネル支持杆のピン受体に差し込まれる第１の差し込み部を形成するとともに、上記ストッパーの上方側にパネルのピン受体に差し込まれる第２の差し込み部を形成したことを特徴とするパネル取付ピン。
【請求項２】
工事現場用等の仮設用門扉を構成するパネルとパネル支持杆とを取り付ける際に用いられるパネル取付ピンであって、
その一方の端部側にパネル支持杆又はパネルの側部に一体に固着させる固着部を形成し、他方の端部側にパネル又はパネル支持杆の側部に設けられたピン受体に差し込ませる差し込み部を形成したことを特徴とするパネル取付ピン。
【考案の詳細な説明】
【技術分野】
【０００１】
本考案は、工事現場や建築作業現場等の出入口に設けられる仮設用門扉に用いられるパネル取付ピンに関する。
【背景技術】
【０００２】
工事現場や建築作業現場等の出入口に設けられている仮設用門扉は、その工事や建築作業が終了すると、次の工事現場や建築作業現場等に運搬されて再度の使用に供されるため、通常、簡単な組立式のものが使用される。
【０００３】
従来の仮設用門扉は、例えば、図７に示すように、地上に立設された一対の支柱１間に横設された支持梁２に取り付けたレール３に、複数本のパネル支持杆４を走行可能に吊設し、かつ、該パネル支持杆４の相互間に複数のパネル５を折り畳み自在に取り付けて構成される。パネル５の取付構造は、図８に示すように、パネル支持杆４の表側側部に円環状のピン受体６を突設し、このピン受体６にパネル５の側部に突設したピン受体７を載置し、その両ピン受体６，７のピン孔を一致させた状態で、その上方からパネル取付ピン８を挿脱可能に差し込むことにより、パネル５をパネル支持杆４に取り付ける。
【考案の開示】
【考案が解決しようとする課題】
【０００４】
しかしながら、上記取付構造では、パネル支持杆４に突設したピン受体６にパネル５に突設したピン受体７を載置してその両者のピン孔を一致させた状態で、その上方からパネル取付ピン８を差し込む作業を行わなければならず、従って、パネル支持杆４のピン受体６にパネル５のピン受体７を載置してその両者のピン孔を一致させた状態でパネル５を持ち支える者と、パネル取付ピン８をピン受体６，７のピン孔に差し込む者の二人作業になり、非常に作業効率が悪いという問題があった。特に、仮設用門扉が人の背丈以上に構成されている場合には、強度上の問題から少なくともパネル５の上部、中央部、下部の三箇所でパネル支持杆４に取り付ける必要があり、それだけ取付作業における作業者の負担が大となるとともに、パネル５の上部側の取付部分は人の手が届かない場所にあるので、脚立、梯子等を使用せざるを得ず、さらに作業効率が悪くなるという問題点もあった。
【０００５】
そこで、本考案は上記の如き問題点に鑑みてなされたもので、一人の作業者でパネルをパネル支持杆に作業性よく取り付けることができるパネル取付ピンを提供することを目的とする。
【課題を解決するための手段】
【０００６】
本考案は、上記目的を達成するため、工事現場用等の仮設用門扉を構成するパネルとパネル支持杆とを取り付ける際に用いられ、パネル支持杆の側部に設けられたピン受体と、該ピン受体に対応してパネルに設けられたピン受体とに差し込まれるパネル取付ピンであって、その中間部に抜け落ちを防止させるストッパーを形成し、該ストッパーの下方側にパネル支持杆のピン受体に差し込まれる第１の差し込み部を形成するとともに、上記ストッパーの上方側にパネルのピン受体に差し込まれる第２の差し込み部を形成したパネル取付ピンを提供する。
【０００７】
上記パネル取付ピンによれば、パネル支持杆の側部に設けたピン受体に、第１の差し込み部を上方から差し込んで軸支させた後、第２の差し込み部にパネルの側部に設けたピン受体を上方から差し込めば、パネルをパネル支持杆に取り付けことができる。
【０００８】
また、本考案は、上記目的を達成するため、工事現場用等の仮設用門扉を構成するパネルとパネル支持杆とを取り付ける際に用いられるパネル取付ピンであって、その一方の端部側にパネル支持杆又はパネルの側部に一体に固着させる固着部を形成し、他方の端部側にパネル又はパネル支持杆の側部に設けられたピン受体に差し込ませる差し込み部を形成したパネル取付ピンを提供する。
【０００９】
上記パネル取付用ピンによれば、予め、固着部をパネル支持杆又はパネルの側部に一体に固着させた後、差し込み部にパネル又はパネル支持杆の側部に設けたピン受体を差し込めば、パネルをパネル支持杆に取り付けことができる。
【考案の効果】
【００１０】
本考案によれば、一人の作業者でパネル支持杆にパネルを取り付けることができる。これにより、作業人員を削減することが可能となり、作業能率を飛躍的に向上させるものである。
【考案を実施するための最良の形態】
【００１１】
以下、本考案の実施形態を図面に基づいて説明する。
【００１２】
本考案のパネル取付ピンが用いられる仮設用門扉は、例えば、従来と同様に、図７に示すように、地上に立設された一対の支柱１間に横設された支持梁２に取り付けたレール３に、複数本のパネル支持杆４を走行可能に吊設し、かつ、該パネル支持杆４の相互間に複数のパネル５を折り畳み自在に取り付けて構成されている。パネル支持杆４の表側側部には、円環状のピン受体６が突設され、パネル５の側部には、パネル支持杆４のピン受体６に対応して円環状のピン受体７が突設される。
【００１３】
図１は、本考案に係るパネル取付ピンの最も基本的な構成の実施形態を示す図面である。このパネル取付ピン１０は、その中間部にストッパー１１を形成し、このストッパー１１の下方側に第１の差し込み部１２を形成するとともに、ストッパー１１の上方側に第２の差し込み部１３を形成する。
【００１４】
第１の差し込み部１２は、パネル支持杆４のピン受体６に差し込ませるものであり、円柱形状に形成される。この第１の差し込み部１２の外径は、パネル支持杆４のピン受体６に差し込んだときにガタ付かないように、パネル支持杆４のピン受体６のピン孔の内径とほぼ同径に形成される。
【００１５】
第２の差し込み部１２は、パネル５のピン受体７を差し込ませるものであり、円柱形状に形成される。この第２の差し込み部１２の外径は、パネル５のピン受体７を差し込み易いように、パネル５のピン受体７がガタ付かない範囲で第１の差し込み部１２の外径（又は、パネル５のピン受体７の内径）より小径に形成される。
【００１６】
ストッパー１１は、第１の差し込み部１２をパネル支持杆４のピン受体６に差し込んだときにそのピン受体６の上面に当たって抜け落ちるのを防止する部分であり、第１の差し込み部１２の外径より突出してフランジ状に形成される。このフランジ部１１の外径は、パネル支持杆４のピン受体６の外径から突出しないように、パネル支持杆４のピン受体６のピン孔の内径より大径に形成される。
【００１７】
次に、本考案のパネル取付ピン１０を用いて仮設用門扉を構成するパネル支持杆４とパネル５とを取り付ける手順について説明する。この場合、図２に示す如く、２種類のパネル取付ピン１０，１０Ａを使用する。パネル取付ピン１０Ａは、ストッパー１１Ａ、第１の差し込み部１２Ａ及び第２の差し込み部１３Ａを有してパネル取付ピン１０と構成がほとんど同じであるが、第２の挿し込み部１３Ａの長さがパネル取付ピン１０の第２の差し込み部１３とは異なる長さに形成される。即ち、パネル取付ピン１０の第２の差し込み部１３に対してパネル取付ピン１０Ａの第２の差し込み部１３Ａが長く形成される。
【００１８】
先ず、図３に示すように、パネル支持杆４の左側部のピン受体６に、パネル取付ピン１０の第１の差し込み部１２を上方から差し込むことで、パネル支持杆４の左側部のピン受体６にパネル取付ピン１０を軸支するとともに、パネル支持杆４の右側部のピン受体６にパネル取付ピン１０Ａの第１の差し込み部１２Ａを上方から差し込むことで、パネル支持杆４の右側部のピン受体６にパネル取付ピン１０Ａを軸支する。これにより、パネル支持杆４の左右両側部のピン受体６，６に第２の差し込み部１３，１３Ａの長さが異なるパネル取付ピン１０，１０Ａが軸支されるので、必然的に隣接するパネル支持杆４，４の対向する側部のピン受体６，６には、第２の差し込み部１３，１３Ａの長さが異なるパネル取付ピン１０，１０Ａが軸支される。
【００１９】
次いで、隣接するパネル支持杆４，４の対向する側部のピン受体６，６に軸支されたパネル取付ピン１０，１０Ａの第２の差し込み部１３，１３Ａに、パネル５の両側部のピン受体７，７を上方から差し込めば、パネル５をパネル支持杆４，４間に取り付けことができる。しかも、隣接するパネル支持杆４，４の対向する側部のピン受体６，６に軸支されたパネル取付ピン１０，１０Ａの第２の差し込み部１３，１３Ａの長さを異なる長さにしておくことにより、パネル５の両側部のピン受体７，７をパネル取付ピン１０，１０Ａの第２の差し込み部１３，１３Ａに差し込む際、長い方のパネル取付ピン１０Ａの第２の挿し込み部１３Ａにパネル５の一方の側部のピン受体７を差し込んだ後、短い方のパネル取付ピン１０の第２の挿し込み部１３にパネル５の他方のピン受体７を差し込むことにより、パネル５の両側部のピン受体７，７をパネル取付ピン１０，１０Ａの第２の差し込み部１３，１３Ａに容易に差し込むことができる。
【００２０】
以上により、パネル支持杆４へのパネル５の取付作業が完了する。従って、本考案のパネル取付用ピン１０を用いれば、一人の作業者でパネル支持杆４にパネル５を取り付けることができる。これにより、作業人員を削減することが可能となり、作業能率を飛躍的に向上させるものである。
【００２１】
図４は、本考案に係るパネル取付ピンの別の実施形態を示す図面である。このパネル取付ピン２０は、その一方の端部側（下方側）に固着部２１を形成し、他方の端部側（上方側）に差し込み部２２を形成する。このパネル取付ピン２０は、パネル支持杆４にピン受体６に代わって突設される。
【００２２】
固着部２１は、パネル支持杆４に固着される部分であり、円柱形状に形成される。この固着部２１の外径は、パネル５のピン受体７の外径と同径又は大径に形成される。
【００２３】
差し込み部２２は、パネル５のピン受体７を差し込ませるものであり、円柱形状に形成される。この第２の差し込み部１２の外径は、パネル５のピン受体７を差し込み易いように、パネル５のピン受体７がガタ付かない範囲でパネル５のピン受けたい７の内径より小径に形成される。
【００２４】
次に、パネル取付ピン２０を用いて仮設用門扉を構成するパネル支持杆４とパネル５とを取り付ける手順について説明する。この場合、図５に示す如く、２種類のパネル取付ピン２０，２０Ａを使用する。パネル取付ピン２０Ａは、固着部２１Ａ及び差し込み部２２Ａを有してパネル取付ピン２０と構成がほとんど同じであるが、挿し込み部２２Ａの長さがパネル取付ピン２０の差し込み部２２とは異なる長さに形成されるからなるが、即ち、パネル取付ピン２０の差し込み部２２に対してパネル取付ピン２０Ａの差し込み部２２Ａが長く形成される。
【００２５】
先ず、パネル支持杆４をレール３に吊設する前に、予め、パネル支持杆４の左側部に、パネル取付ピン２０Ａの固着部２１を、例えば、溶接等にて一体に固着することで、パネル支持杆４の左側部にパネル取付ピン２０を突設させておくとともに、パネル支持杆４の右側部にパネル取付ピン２０Ａの固着部２２Ａを、例えば、溶接等にて一体に固着することで、パネル支持杆４の右側部にパネル取付ピン２０Ａを突設させておく。これにより、複数本のパネル支持杆４をレール３に走行可能に吊設すると、図６に示すように、必然的に隣接するパネル支持杆４，４の対向する側部には、差し込み部２２，２２Ａの長さが異なるパネル取付ピン２０，２０Ａが突設されている。
【００２６】
次いで、隣接するパネル支持杆４，４の対向する側部の突設されたパネル取付ピン２０，２０Ａの差し込み部２２，２２Ａに、パネル５の両側部のピン受体７，７を上方から差し込めば、パネル５をパネル支持杆４，４間に取り付けことができる。しかも、隣接するパネル支持杆４，４の対向する側部のピン受体６，６に軸支されたパネル取付ピン２０，２０Ａの差し込み部２２，２２Ａの長さを異なる長さにしておくことにより、上述したパネル取付ピン１０，１０Ａの場合と同様に、パネル５の両側部のピン受体７，７をパネル取付ピン２０，２０Ａの差し込み部２２，２２Ａに容易に差し込むことができる。
【００２７】
以上により、パネル支持杆４へのパネル５の取付作業が完了する。従って、本考案のパネル取付用ピン２０を用いれば、上述したパネル取付ピン１０の場合と同様に、一人の作業者でパネル支持杆４にパネル５を取り付けることができる。これにより、作業人員を削減することが可能となり、作業能率を飛躍的に向上させるものである。
【００２８】
尚、本考案は、上述した実施形態に限定されるものではなく、適宜設計変更可能である。例えば、図１乃至図３に示す実施形態では、パネル５を取り付けるときに、パネル取付ピン１０，１０Ａをパネル支持杆４のピン受体６，６に差し込むようにしているが、予め、パネル取付ピン１０，１０Ａをパネル支持杆４のピン受体６，６又はパネル５のピン受体７，７に、例えば、溶接等にて固着するようにしてもよい。
【００２９】
また、図４乃至図６に示す実施形態では、パネル取付ピン２０，２０Ａをパネル支持杆４にピン受体６，６に代わって固着突設するようにしているが、パネル取付ピン２０，２０Ａをパネル５にピン受体７，７に代わって固着突設するようにしてもよい。
【００３０】
更に、仮設用門扉が人の背丈以上に構成されている場合、パネル取付ピン１０，１０Ａ又は２０，２０Ａにてパネル５の上部、中央部、下部の三箇所全てでパネル支持杆４に取り付けるようにしてもよいが、パネル５の一箇所で取り付けるようにしてもよい。
【図面の簡単な説明】
【００３１】
【図１】本考案に係るパネル取付ピンの最も基本的な構成の実施形態を示す斜視図である。
【図２】ピン受体の挿し込みをし易くする２種類のパネル取付ピンを示す斜視図である。
【図３】図３の２種類のパネル取付ピンを用いてパネル支持杆に対するパネルの取付要領を説明する図面である。
【図４】本考案に係るパネル取付ピンの他の実施形態を示す斜視図である。
【図５】ピン受体の挿し込みをし易くする２種類のパネル取付ピンを示す斜視図である。
【図６】図５の２種類のパネル取付ピンを用いてパネル支持杆に対するパネルの取付要領を説明する図面である。
【図７】仮設用門扉の正面図である。
【図８】従来のパネル取付ピンを用いたパネル支持杆とパネルの取付状態を示す斜視図である。
【符号の説明】
【００３２】
４…パネル支持杆、５…パネル、６，７…ピン受体、１０，１０Ａ…パネル取付ピン、１１，１１Ａ…ストッパー、１２，１２Ａ…第１の挿し込み部、１３，１３Ａ…第２の挿し込み部、２０，２０Ａ…パネル取付ピン、２１，２１Ａ…固着部、２２，２２Ａ…挿し込み部
【図１】
0003109515.tif 000003
【図２】
0003109515.tif 000004
【図３】
0003109515.tif 000005
【図４】
0003109515.tif 000006
【図５】
0003109515.tif 000007
【図６】
0003109515.tif 000008
【図７】
0003109515.tif 000009
【図８】
0003109515.tif 000010